(57)【要約】【課題】ユーザ側のコンピュータ装置で製品加工可能な金型が検索できないとき、前記金型を提供者側のデータベースから検索する。【解決手段】加工機に装着され折り曲げ加工を行う金型を検索する金型検索システム１は、ユーザが備えるユーザコンピュータ装置２と、提供者が提供する金型に係る金型特性データを記憶する金型特性データ記憶手段７とを備えている。そして、前記ユーザコンピュータ装置２は金型特性データ取得部１５を備えている。この金型特性データ取得部１５は、前記ユーザコンピュータ装置２のメモリ１７から金型特定のための検索を行い、所定の条件のとき検索先を前記メモリ１７から提供者側の前記金型特性データ記憶手段７に切り換える。【選択図】図１
2005152943.tif 000002
【特許請求の範囲】
【請求項１】
加工機に装着され曲げ加工を行う金型を検索する金型検索システムにおいて、
ユーザが備えるユーザコンピュータ装置と、提供者が提供する各金型に係る金型特性データを記憶する金型特性データ記憶手段とを備え、
前記ユーザコンピュータ装置は金型特性データ取得部と、金型選択・加工可否判定部とを有し、
前記金型特性データ取得部は、所定の条件により前記金型特性データの検索先を前記ユーザコンピュータ装置のメモリから提供者側の前記金型特性データ記憶手段に切り換え、
前記金型選択・加工可否判定部は、金型特性データ取得部が取得した金型特性データを参照し加工可否の判断を行うことを特徴とする金型検索システム。
【請求項２】
前記ユーザコンピュータ装置は、前記金型特性データ記憶手段から取得した金型特性データにより特定された金型を注文する金型注文部を備えたことを特徴とする請求項１記載の金型検索システム。
【請求項３】
加工可能な金型の検索終了後に、曲げ順検索、及び曲げシミュレーションを行うこを特徴とする請求項１又は２記載の金型検索システム。
【請求項４】
加工機に装着され曲げ加工を行う金型を検索する金型検索方法において、
ユーザが備えるユーザコンピュータ装置と、提供者が提供する各金型に係る金型特性データを記憶する金型特性データ記憶手段とをつなげ、
前記ユーザコンピュータ装置は金型特性データ取得工程と、金型選択・加工可否判定工程とを有し、
前記金型特性データ取得工程は、所定の条件により前記金型特性データの検索先を前記ユーザコンピュータ装置のメモリから提供者側の前記金型特性データ記憶手段に切り換え、
前記金型選択・加工可否判定工程は、金型特性データ取得部が取得した金型特性データを参照し加工可否の判断を行うことを特徴とする金型検索方法。
【発明の詳細な説明】
【技術分野】
【０００１】
この発明は金型検索システム及びその方法に関し、さらに詳細には、ユーザ側のコンピュータ装置で製品加工可能な金型が検索できないとき、前記金型を提供者側のデータベースから検索する金型検索システム及びその方法に関する。
【背景技術】
【０００２】
従来、例えば曲げ加工機により曲げ加工を行うユーザは曲げ加工機に装着する金型の選択を行う。この際、曲げ加工可能な金型かどうかは製品情報に基づき金型形状、販売カタログ等から判断していた。
【０００３】
一方、自動で金型検索を行う場合は、ワークを曲げるための曲げ加工金型に関する金型特性データ（金型形状、名称、種類、耐圧等を含む）をユーザが自ら選択または作成し、曲げの加工可否を判断するプログラムに入力して加工可能な金型を検索していた。例えば、図１１に示すように、検索部５５の金型選択・加工可否判定部５９が金型特性データ（例えば、金型の形状情報、名称情報、種類情報、耐圧）をメモリ６１（ユーザが予め登録した金型特性データが格納されている）から読む。また、製品ＣＡＤデータ取得部５７がＣＡＤ部５１のメモリ５３から製品ＣＡＤデータを読み込む。そして、金型選択・加工可否判定部５９により、製品（部品）の加工可能な金型を検索していた。さらに、選択された金型を参照して曲げ順検索・加工可否判定部６３が製品の曲げ順検索、及び曲げシミュレーションを行い表示・操作部６５に表示していた。
【０００４】
また、特許文献１。
【特許文献１】特開２００２−７９３１４号公報
【発明の開示】
【発明が解決しようとする課題】
【０００５】
このような従来の方法では、以下のような問題があった。すなわち、自動で金型検索を行う場合、ユーザが所持していない金型（いわゆる市場で販売されている多数の金型）の金型特性データ（例えば、金型の形状情報、名称情報、種類情報、耐圧）は参照することができない。このため加工可否の判断ができなかった。
【０００６】
そして、ユーザは金型のカタログ等を調べて、製品の曲げ加工可能な金型を選択しなければならず、時間と労力が掛かるという問題があった。
【課題を解決するための手段】
【０００７】
本発明は、前述のごとき問題に鑑みてなされたもので請求項１に係る発明は、加工機に装着され曲げ加工を行う金型を検索する金型検索システムにおいて、
ユーザが備えるユーザコンピュータ装置と、提供者が提供する各金型に係る金型特性データを記憶する金型特性データ記憶手段とを備え、前記ユーザコンピュータ装置は金型特性データ取得部と、金型選択・加工可否判定部とを有し、
前記金型特性データ取得部は、所定の条件により前記金型特性データの検索先を前記ユーザコンピュータ装置のメモリから提供者側の前記金型特性データ記憶手段に切り換え、前記金型選択・加工可否判定部は、金型特性データ取得部が取得した金型特性データを参照し加工可否の判断を行う金型検索システムである。
【０００８】
請求項２に係る発明は、前記ユーザコンピュータ装置は、前記金型特性データ記憶手段から取得した金型特性データにより特定された金型を注文する金型注文部を備えた請求項１記載の金型検索システムである。
【０００９】
請求項３に係る発明は、加工可能な金型の検索終了後に、曲げ順検索、及び曲げシミュレーションを行う請求項１又は２記載の金型検索システムである。
【００１０】
請求項４に係る発明は、加工機に装着され曲げ加工を行う金型を検索する金型検索方法において、
ユーザが備えるユーザコンピュータ装置と、提供者が提供する各金型に係る金型特性データを記憶する金型特性データ記憶手段とをつなげ、前記ユーザコンピュータ装置は金型特性データ取得工程と、金型選択・加工可否判定工程とを有し、
前記金型特性データ取得工程は、所定の条件により金型特性データの検索先を前記ユーザコンピュータ装置のメモリから提供者側の前記金型特性データ記憶手段に切り換え、前記金型選択・加工可否判定工程は、金型特性データ取得部が取得した金型特性データを参照し加工可否の判断を行う金型検索方法である。
【発明の効果】
【００１１】
上述の如く本発明によれば、販売されている全ての金型の金型特性データ（例えば、金型の形状情報、名称情報、種類情報、耐圧）をユーザコンピュータ装置に提供することができる。そして、曲げの加工可否の判断を行うプログラムには外部からの金型特性データを使用するモードを設け、もしくは、自動的に外部からの金型特性データを使用することができるようにする。
【００１２】
これにより、ユーザは金型の提供者が販売する全ての金型も含めて製品の加工可否判定ができ迅速、適正な製品の製造を行うことができる。
【００１３】
また、曲げ工程のシミュレーションを行うことにより、間違いなく曲げ加工のできる金型を特定することができる。さらに、特定された金型の注文を自動で行うことができるので迅速な金型購入を行うことができる。
【発明を実施するための最良の形態】
【００１４】
本発明の実施の形態を、図面を参照して説明する。図１は金型検索システム１の概略の構成図である。前記金型検索システム１は、ユーザコンピュータ装置２と、金型特性データ記憶手段７とを備えている。前記ユーザコンピュータ装置２はＣＡＤ部３と、検索部５とを備えている。
【００１５】
本実施例では、ＣＡＤ部３と、検索部５とがユーザ側のユーザコンピュータ装置２にインストールされている場合を想定する。また、金型特性データ記憶手段７は、金型提供者の備えるコンピュータ装置に有する場合を想定する。
【００１６】
前記ＣＡＤ部３は、ユーザのオペレーションにより板金製品の製品ＣＡＤデータ（例えば、３次元ＣＡＤデータ、２次元ＣＡＤデータ）をメモリ９に記憶する。
【００１７】
前記金型特性データ記憶手段７は、提供者が提供する全ての金型の金型特性データ（例えば、金型の形状、名称、種類、加圧能力、販売情報）をメモリ１１に記憶する。そして、通信手段により通信を行う（例えば、ネットワークコンピュータ装置１３ｂのメモリに金型特性データを記憶させネットワークで通信を行う。また、配布媒体（例えば、ＣＤ−ＲＯＭ、フロッピーディスク（登録商標）等）１３ａに記憶させユーザに配布する）。
【００１８】
ここで、前記金型特性データ記憶手段７により記憶される金型特性データについて説明する。この金型特性データは、例えば、金型の形状、名称、種類、耐圧、販売情報等のデータである。金型の形状は金型の形状を特定するためのデータであり３次元ＣＡＤ、２次元ＣＡＤ、直接数値入力等で金型形状を作成しメモリに記憶する。これにより、製品の曲げ形状と、金型先端の形状（角度、先端Ｒ等）を比較し使用できる金型を特定することができる。
【００１９】
金型の名称、種類（例えば、Ｖ曲げ金型、ヘミング曲げ金型等）等は、金型を機能面から特定することができる。また、金型の耐圧により、所定の板厚の製品を曲げるに適正かどうかを判断できる。さらに、ユーザは販売情報（例えば、ネットワークでの購入方法等の情報）を参照し、金型の購入を適正に行うことができる。上述は金型特性データの一例であるが、この他にも、金型選択優先順位、加工板厚等が挙げられる。
【００２０】
前記検索部５は金型特性データ取得部１５と、金型特性データをユーザコンピュータ装置２側に登録するためのメモリ１７とを備えている。前記金型特性データ取得部１５は、切換部１９を備えている。
【００２１】
さらに、前記検索部５は、製品ＣＡＤデータ取得部２１と、金型選択・加工可否判定部２３と、曲げ順検索・加工可否判定部２５と、金型注文部２７と、表示・操作部２９とを備えている。
【００２２】
前記金型特性データ取得部１５は、所定の条件に基づき金型特性データ記憶手段７、又は、メモリ１７から金型特性データを読み込む（ここで、所定の条件は、例えばユーザコンピュータ装置２のメモリ１７で曲げ加工可能な金型が検索できなかったとき、検索先を金型特性データ記憶手段７に切り換える場合である）。前記製品ＣＡＤデータ取得部２１はＣＡＤ部３のメモリ９より製品ＣＡＤデータを読み込む。
【００２３】
前記金型選択・加工可否判定部２３は製品ＣＡＤデータ取得部２１が取得した製品ＣＡＤデータと、金型特性データ取得部１５が取得した金型特性データとを参照し、加工可能な金型を選択する。この際、金型特性データは、初めはメモリ１７に記憶されているものから取得する。そして、この中から加工可能な金型を選択する。登録された金型（例えば、既に購入した金型で特性データを特性データメモリ１７に入力済みのもの）を検索した結果、加工できる金型が登録されていないとき前記切換部１９が検索先をメモリ１７から金型特性データ記憶手段７に切り換える（これらの処理が金型特性データ取得部１５と、金型選択・加工可否判定部２３とが連携して行う）。これにより、販売されている全ての金型の中から加工可能な金型を検索することができる。
【００２４】
前記曲げ順検索・加工可否判定部２５は選択された金型を使用し曲げ順を決定し実際に曲げのシミュレーションを行う。これにより、実際に加工が可能かどうかの判断を行うことができる。
【００２５】
前記金型注文部２７は、金型選択・金型加工可否判定部２３で選択された金型の注文を行う。これにより、加工のできる金型を正確かつ迅速に購入することができる。
【００２６】
図２に金型検索システム１の動作を示す。ステップＳ２０１では、ユーザコンピュータ装置２のメモリ１７から取得した金型特性データからでは必要な金型が検索できないと判断する。図３を参照する。表示・操作部２９には画面３０１が表示される。この画面３０１はデータ一覧を表示する領域３０３と、製品の立体図等を表示する領域３０５等を含む。これにより、作業者は加工ができない製品を知ることができる。
【００２７】
前記データ一覧領域には、処理を行った製品の連番である番号、製品の区分（例えば、リピート製品、新規製品等）、処理の結果（例えば、成功、失敗）、製品の番号である製品番号等が表示される。本例は、番号１〜３まではリピート製品の加工（曲げ加工）が既存の金型で加工できると判断されたが、番号４の新規製品の加工ができない（加工可能な金型が無い場合）と判断された場合である。
【００２８】
ステップＳ２０３では切換部１９が検索先をメモリ１７から金型特性データ記憶手段７へ切り換える。図４を参照する。ステップＳ２０１で加工が不可と判断された場合に表示・操作部２９に選択画面４０１が表示される。ここで、ＹＥＳをクリックすると、切換部１９が検索先をメモリ１７から金型特性データ記憶手段７に切り換える。ＮＯをクリックすると切換処理を行わず終了する。
【００２９】
図５を参照する。ＹＥＳをクリックすることによる検索先の切り換えを示している。すなわち、検索対象のメモリ１７が金型特性データ記憶手段７に切り換えられる。この検索先を切り換えることによりカタログ等を参照しないで提供者側の全ての金型の検索を行うことができる。また、提供者は新規の金型を製造販売する場合、金型特性データ記憶手段７を更新するのでリアルタイムの参照が可能になる。
【００３０】
ステップＳ２０５では、特性データ取得部１５が金型特性データ記憶手段７に記憶されている金型特性データを取得する。
【００３１】
ステップＳ２０７では、製品ＣＡＤデータ取得部２１が製品ＣＡＤデータを取得する（本例では、既に取得されている）。この製品ＣＡＤデータは、製品の３次元ＣＡＤデータ、２次元ＣＡＤデータ等である。
【００３２】
ステップＳ２０９では、金型選択・加工可否判定部２３が、取得した金型特性データと製品ＣＡＤデータとを参照し全ての金型の組み合わせで加工可否を試したかどうかの判断を行う。これにより、提供者側の全ての金型を使用し最適な金型の組み合わせを決定することができる。全ての金型の組み合わせを試したと判断したとき処理はステップＳ２１１に進む。完了していないと判断したとき処理はステップＳ２１３に進む。ステップＳ２１３では、金型の組み合わせを行う。
【００３３】
ステップＳ２１５では、金型選択・加工可否判定部２３が、金型は製品の曲げを加工できるかどうかを判断する。例えば、図６に示すように、製品Ｓ（製品ＣＡＤデータ）に曲げ角度ＡＮＧ１で内側コーナがＲ１、外側コーナがＲ２の大きさの形状部が含まれている場合、図７に示すように、上記形状を成形するに適正な曲げ角度ＡＮＧ２と円弧の大きさがＲ４の形状を有するダイ金型Ｄと、先端の円弧の大きさがＲ３であるパンチ金型Ｐとが選択される。
【００３４】
加工できると判断したとき処理はステップＳ２１７に進む。加工できないと判断したとき処理はステップＳ２０９に戻る。
【００３５】
ステップＳ２１７では、金型選択・加工可否判定部２３が、金型と製品が干渉せずに加工できるかどうかを判断する。例えば、図８に示すように金型のコンストレイント（拘束条件）により金型の動作を特定できるため干渉チェックを行うことができる（本例では、エリアＥで干渉することが解る）。加工できると判断したとき処理はステップＳ２１９に進む。金型と部品が干渉すると判断したとき処理はステップＳ２０９に戻る。
【００３６】
ステップＳ２１９では、金型の組み合わせを加工可能な金型のリストに追加する。ステップＳ２１１では、加工可能な金型のリストを表示する。図９に示すように画面９０１に選択された金型の金型形状、角度、先端Ｒ、耐圧等が表示される。
【００３７】
ステップＳ２２１では、曲げ順検索・加工可否判定部２５が製品の曲げ工程を特定し工程順に曲げのシミュレーションを行う。図１０に示すように、画面１００１に各曲げ工程の曲げの様子が表示される。
【００３８】
ステップＳ２２３では、金型注文部２７が選択された金型をユーザの指示に基づき注文を行う。
【００３９】
なお、本発明は、上述した実施の態様の例に限定されることなく、適宜の変更を加えることにより、その他の態様で実施できるものである。
【図面の簡単な説明】
【００４０】
【図１】金型検索システムの概略を説明する概略図である。
【図２】金型検索システムの動作を説明する説明図である。
【図３】金型検索システムの表示部に表示される画面を説明する説明図である。
【図４】金型検索システムの表示部に表示される画面を説明する説明図である。
【図５】金型検索システムの表示部に表示される画面を説明する説明図である。
【図６】金型特性データによる金型選択を説明する説明図である。
【図７】金型特性データによる金型選択を説明する説明図である。
【図８】金型特性データによる金型選択を説明する説明図である。
【図９】金型検索システムの表示部に表示される画面を説明する説明図である。
【図１０】金型検索システムの表示部に表示される画面を説明する説明図である。
【図１１】従来の技術を説明する説明図である。
【符号の説明】
【００４１】
１  金型検索システム
２  ユーザコンピュータ装置
３  ＣＡＤ部
５  金型検索部
７  金型特性データ記憶手段
９  メモリ
１１  メモリ
１３ａ  配布媒体
１３ｂ  ネットワークコンピュータ装置
１５  金型特性データ取得部
１７  メモリ
１９  切換部
２１  製品ＣＡＤデータ取得部
２３  金型選択・加工可否判定部
２５  曲げ順検索・加工可否判定部
２７  金型注文部
２９  表示・操作部
【図１】
2005152943.tif 000003
【図２】
2005152943.tif 000004
【図３】
2005152943.tif 000005
【図４】
2005152943.tif 000006
【図５】
2005152943.tif 000007
【図６】
2005152943.tif 000008
【図７】
2005152943.tif 000009
【図８】
2005152943.tif 000010
【図９】
2005152943.tif 000011
【図１０】
2005152943.tif 000012
【図１１】
2005152943.tif 000013